(57)【要約】【課題】本やファイルのような使用感を損ねることなく、少ない回数、かつ適切なタイミングで表示内容の書き換えを行うことのできる表示装置を提供する【解決手段】  複数枚の表示デバイスが本のようにページめくり可能に綴じられた本型表示部を備える表示装置を、開いている状態でその開かれている表示面の臨む向きを変えずに上下反転させた場合、その開かれている表示面に応じて当該複数枚の表示デバイスの表示面に表示される表示内容を上下反転前と異なるページにかつ上下逆向きに書き換える。【選択図】図３
2014052440.tif 000002
【特許請求の範囲】
【請求項１】
複数枚の表示デバイスが本のようにページめくり可能に綴じられた本型表示部と、
表示対象にされる複数のページの表示データを保存する記憶部と、
前記記憶部に記憶されている表示データに対応するページを前記表示デバイスの表示面に表示させる表示制御部と、
前記表示面の臨む向きを変えずに前記本型表示部が上下反転されたことを検知する回転検知部と、
前記本型表示部が有する前記複数枚の表示デバイスの表示面のうち開かれている表示面を認識する認識部と、
を備え、
前記表示制御部は、前記回転検知部によって前記上下反転が検知されたとき、前記本型表示部の表示内容を、その時点で開かれている表示面に応じて上下反転前と異なるページにかつ上下逆向きに書き換える
ことを特徴とする表示装置。
【請求項２】
前記表示制御部は、前記上下反転が検知されたときに前記認識部によって認識された前記開かれている表示面が前記複数枚の表示デバイスの表示面のうちの端の表示面の場合は、その時点で前記本型表示部に表示されていた複数のページのページ順で前記開かれている表示面に表示されていたページの向こう側へ続くページで前記本型表示部の表示内容を書き換える
ことを特徴とする請求項１に記載の表示装置。
【請求項３】
前記表示制御部は、前記上下反転が検知されたときに前記認識部によって認識された前記開かれている表示面が前記複数枚の表示デバイスの表示面のうちの端以外の表示面の場合は、前記開かれている表示面に表示されるページが最終ページ側へ進むように前記本型表示部の表示内容を書き換える
ことを特徴とする請求項１または２に記載の表示装置。
【請求項４】
前記表示制御部は、前記上下反転が検知されたときの書き換えにおいて、前記開かれている表示面、もしくは前記開かれている表示面とその前後の一部の表示面の表示内容のみを書き換える初期書き換えを行い、その後、所定の時間が経過する前に前記表示デバイスがめくられた場合に、残りの表示面の表示内容を書き換える
ことを特徴とする請求項１乃至３のいずれか１つに記載の表示装置。
【請求項５】
前記表示制御部は、前記初期書き換えを行った後、前記表示デバイスがめくられることなく前記所定の時間が経過した場合は、前記初期書き換えで書き換えた表示内容を前記初期書き換え前に戻す
ことを特徴とする請求項４に記載の表示装置。
【請求項６】
前記記憶部は複数のページで構成されたファイルを複数保存しており、
前記表示制御部は、前記上下反転が検知されたときに前記認識部によって認識された前記開かれている表示面が前記複数枚の表示デバイスの表示面のうちの端以外の表示面の場合は、前記本型表示部に表示するファイルを変更する
ことを特徴とする請求項１または２に記載の表示装置。
【請求項７】
前記表示制御部は、前記上下反転が検知されたときに前記認識部によって認識された前記開かれている表示面に表示されているページが書き換え禁止設定のなされたページの場合は、前記上下反転の検知に起因した書き換えを実行しない
ことを特徴とする請求項１乃至６のいずれか１つに記載の表示装置。
【請求項８】
前記表示制御部は、表示面の表示内容を最終ページに書き換えたときはその表示面の次の表示面に所定の区切り情報を書き込む、または表示面の表示内容を第１ページに書き換えたときはその表示面の１つ前の表示面に所定の区切り情報を書き込む
ことを特徴とする請求項１乃至７のいずれか１つに記載の表示装置。
【請求項９】
前記表示デバイスは、表裏両面に表示面を備える
ことを特徴とする請求項１乃至８のいずれか１つに記載の表示装置。
【発明の詳細な説明】
【技術分野】
【０００１】
本発明は、複数枚の表示デバイスを本のようにページめくり可能に綴じた本型表示部を持つ表示装置に関する。
【背景技術】
【０００２】
電子ペーパは、表示内容の書き換えのみに電力を消費し、無電力状態で表示を維持することができる。電子ペーパを備える表示装置の形態の一例として、複数枚の電子ペーパをブック形式（バインダー形式）にまとめ、表表紙や裏表紙などに制御機構を持たせる構成が挙げられる（図１(Ａ)(Ｂ)参照）。この形態では、一度電子ペーパに表示データが書き込まれれば、ユーザは半永久的に本やファイルのような使用感でその表示内容（書き込まれた表示データ）を閲覧することができる。
【０００３】
前述の形態では、そのまま表示内容を書き換えなければ、紙に印刷した場合と大差がない。表示内容を書き換えることで電子ペーパを使用するメリットが生じる。たとえば、表示内容を書き換えることで、少ない枚数の電子ペーパで多くのページの書籍を閲覧可能としたり、複数の書籍の内容等をユーザが１つの表示装置を使用して閲覧したりすることができる。そして、この書き換えを行う方法がいくつか提案されている。
【０００４】
たとえば、表表紙と裏表紙に送り釦を設け、この送り釦を操作することで、表示内容を、現在表示中の書籍と異なる書籍の内容に書き換える技術が提案されている（特許文献１）。なお、書籍の切り替えの他にも、第１章、第２章、第３章といったように同一書籍内での章の切り替えであってもよい。
【先行技術文献】
【特許文献】
【０００５】
【特許文献１】特開２００７−３３３９７３号公報
【特許文献２】特開２０１１−１１４３５２号公報
【特許文献３】特開２０１０−００３２１８号公報
【発明の概要】
【発明が解決しようとする課題】
【０００６】
また、上記の特許文献１では、複数枚のカードをカードリングでまとめる場合のように、複数枚の電子ペーパを、循環的にめくることが可能な形態で支柱に保持し、各電子ペーパにコンテンツデータを、ページ単位で表示する。そして、電子ペーパが循環的にめくられる度に（一周する度に）、その表示内容を新たなコンテンツデータに書き換えている。
【０００７】
この方法では、ページをめくる度に、そのページの書き換えが行われるので、一度めくった電子ペーパを再び閲覧しようとした際には、既にその表示内容は書き換えられてしまっている。また、循環的にページをめくる方法では、本やバインダーのような使用感を損ねてしまう。
【０００８】
特許文献２には、複数枚の電子ペーパをブック形式にまとめた表示装置において、最後のページを開いた後に、最初のページを開く（最初のページに戻す）ことで、表示されるコンテンツが次ページ以降へ進むように自動的に各ページの表示内容を書き換える方法が開示されている。しかし、ページをめくる動作は、普通にユーザが行う動作の１つなので、ユーザの意図せぬ書き換えが起こってしまう場合がある。たとえば、最初のページに表示されていた内容を再度閲覧しようとして最初のページに戻った場合や、一旦閲覧を終了し（一度表示装置を閉じてから）、次回に初めから閲覧しようとする場合でも、表示内容が書き換えられてしまう。
【０００９】
また、特許文献３には、１枚の電子ペーパに携帯電話端末を取り付け、携帯電話端末の傾きセンサが、所定の傾き角度を検知したら、電子ペーパの表示内容を次のページに書き換える方法が開示されている。しかし、この方法は、電子ペーパ以外の端末（傾きセンサを備える携帯電話端末）を必要とし、また、電子ペーパが１枚のみのため、大量のページを閲覧するためには何度も書き換え動作を行わなければならない。
【００１０】
本発明は、上記の問題を解決するものであり、本やバインダーのような使用感を損ねることなく、少ない回数、かつ適切なタイミングで表示内容の書き換えを行うことのできる表示装置を提供することを目的としている。
【課題を解決するための手段】
【００１１】
かかる目的を達成するための本発明の要旨とするところは、次の各項の発明に存する。
【００１２】
［１］複数枚の表示デバイスが本のようにページめくり可能に綴じられた本型表示部と、
表示対象にされる複数のページの表示データを保存する記憶部と、
前記記憶部に記憶されている表示データに対応するページを前記表示デバイスの表示面に表示させる表示制御部と、
前記表示面の臨む向きを変えずに前記本型表示部が上下反転されたことを検知する回転検知部と、
前記本型表示部が有する前記複数枚の表示デバイスの表示面のうち開かれている表示面を認識する認識部と、
を備え、
前記表示制御部は、前記回転検知部によって前記上下反転が検知されたとき、前記本型表示部の表示内容を、その時点で開かれている表示面に応じて上下反転前と異なるページにかつ上下逆向きに書き換える
ことを特徴とする表示装置。
【００１３】
上記発明では、複数枚の表示デバイスが本のようにページめくり可能に綴じられた本型の表示装置を開いている状態で、表示デバイスの表示面が臨む向きを変えずに表示装置を上下反転させた場合に、各表示面の表示内容を、その時点で開かれている表示面に応じて書き換える。たとえば、複数の表示デバイスの表示面のうちの端の表示面や、途中の表示面等によって、表示内容の書き換え方を変える。また、表示内容は上下逆向きに書き換える。なお、上下反転はユーザが文書の閲覧中に普通に行う動作でないため、ユーザの意図しないタイミングで表示内容の書き換えは起こらない。
【００１４】
［２］前記表示制御部は、前記上下反転が検知されたときに前記認識部によって認識された前記開かれている表示面が前記複数枚の表示デバイスの表示面のうちの端の表示面の場合は、その時点で前記本型表示部に表示されていた複数のページのページ順で前記開かれている表示面に表示されていたページの向こう側へ続くページで前記本型表示部の表示内容を書き換える
ことを特徴とする［１］に記載の表示装置。
【００１５】
上記発明では、複数の表示デバイスの表示面のうちの端の表示面が開かれている状態の表示装置を、その表示面が臨む向きを変えずに上下反転させた場合、その時点で本型表示部に表示されていた複数のページのページ順で開かれている表示面に表示されていたページの向こう側へ続くページで本型表示部の表示内容を書き換える。これにより、ページ数が表示面の数を超える場合であっても、表示内容を切り替えて、全てのページを閲覧することが可能となる。また、一度書き換えた表示内容を書き換え前の状態に戻すこともできる。
【００１６】
［３］前記表示制御部は、前記上下反転が検知されたときに前記認識部によって認識された前記開かれている表示面が前記複数枚の表示デバイスの表示面のうちの端以外の表示面の場合は、前記開かれている表示面に表示されるページが最終ページ側へ進むように前記本型表示部の表示内容を書き換える
ことを特徴とする［１］または［２］に記載の表示装置。
【００１７】
最端の表示面を除く表示面が開かれている状態の表示装置を、その表示面が臨む向きを変えずに上下反転させた場合、その開かれている表示面に表示されるページが最終ページ側へ進むように本型表示部の表示内容を書き換える。これにより、ユーザは、ページをめくることなく、上下反転操作を行うことで、表示されるページを最終ページ側へ進ませることができる。
【００１８】
［４］前記表示制御部は、前記上下反転が検知されたときの書き換えにおいて、前記開かれている表示面、もしくは前記開かれている表示面とその前後の一部の表示面の表示内容のみを書き換える初期書き換えを行い、その後、所定の時間が経過する前に前記表示デバイスがめくられた場合に、残りの表示面の表示内容を書き換える
ことを特徴とする［１］乃至［３］のいずれか１つに記載の表示装置。
【００１９】
上記発明では、表示内容の書き換え動作を検出したら、複数の表示デバイスの表示面のうち、開かれている表示面、もしくは開かれている表示面とその前後の一部の表示面の表示内容のみを書き換える初期書き換えを行い、時間経過を監視する。所定の時間が経過するまでに表示デバイスがめくられた場合は、残りの表示面の表示内容を書き換える。これにより、一度の書き換え動作で書き換える量が減るとともに電力の消費を抑えることができる。たとえば、表示内容の更新を目的としていない誤った上下反転動作を検知した場合における、無駄な書き換え動作の動作量を少なくすることができる。
【００２０】
［５］前記表示制御部は、前記初期書き換えを行った後、前記表示デバイスがめくられることなく前記所定の時間が経過した場合は、前記初期書き換えで書き換えた表示内容を前記初期書き換え前に戻す
ことを特徴とする［４］に記載の表示装置。
【００２１】
上記発明では、表示デバイスがめくられることなく所定の時間が経過した場合は、初期書き換えで書き換えた表示内容を、書き換え前の内容に戻す。これにより、たとえば、ユーザが上下反転後に表示デバイスをめくらない場合は、書き換えを意図しない上下反転であったと推定されるので、元に戻すことで、ユーザの意図に合致した表示内容に戻る。また、中途半端な書き換え状態のままにされることが防止される。
【００２２】
［６］前記記憶部は複数のページで構成されたファイルを複数保存しており、
前記表示制御部は、前記上下反転が検知されたときに前記認識部によって認識された前記開かれている表示面が前記複数枚の表示デバイスの表示面のうちの端以外の表示面の場合は、前記本型表示部に表示するファイルを変更する
ことを特徴とする［１］または［２］に記載の表示装置。
【００２３】
上記発明では、最端の表示部以外の表示部が開かれている状態で、ユーザが書き換え動作を行うと、現在表示されているページのファイルとは別のファイルのページに表示内容を変更する。これにより、たとえば１つのファイルに１つの書籍が含まれていた場合等において、複数の書籍の内容を、表示内容の書き換えによって閲覧することができる。また、上下反転に起因して書き換えが行われるので、切り替え釦などを設けることなく、表示対象のファイルを切り替えることができる。
【００２４】
［７］前記表示制御部は、前記上下反転が検知されたときに前記認識部によって認識された前記開かれている表示面に表示されているページが書き換え禁止設定のなされたページの場合は、前記上下反転の検知に起因した書き換えを実行しない
ことを特徴とする［１］乃至［６］のいずれか１つに記載の表示装置。
【００２５】
上記発明では、上下反転動作を検知した時に、開かれていた表示面に表示されているページが、書き換え禁止設定のなされたページの場合は、当該上下反転の検知に起因した書き換えを実行しない。これにより、ユーザは上下逆方向からも、ページを閲覧することが可能となる。
【００２６】
［８］前記表示制御部は、表示面の表示内容を最終ページに書き換えたときはその表示面の次の表示面に所定の区切り情報を書き込む、または表示面の表示内容を第１ページに書き換えたときはその表示面の１つ前の表示面に所定の区切り情報を書き込む
ことを特徴とする［１］乃至［７］のいずれか１つに記載の表示装置。
【００２７】
上記発明では、表示内容の書き換え時に、最終ページに表示内容を書き換えた表示面があった場合、その次の表示面に所定の区切り情報を書き込む。また、第１ページ（最初のページ）に表示内容を書き換えた表示面があった場合は、その表示面の１つ前の表示面に所定の区切り情報を書き込む。これにより、表示内容の書き換えを行わなかった表示面と、表示内容の書き換えを行った表示面を区別する。
【００２８】
［９］前記表示デバイスは、表裏両面に表示面を備える
ことを特徴とする［１］乃至［８］のいずれか１つに記載の表示装置。
【発明の効果】
【００２９】
本発明の表示装置によれば、本やファイルのような使用感を損ねることなく、少ない回数、かつ適切なタイミングで表示内容の書き換えを行うことができる。
【図面の簡単な説明】
【００３０】
【図１】本発明の実施の形態に係る表示端末を示す説明図である。
【図２】本発明の実施の形態に係る表示装置の概略構成を示すブロック図である。
【図３】電子ペーパの最後の表示面を開いている状態で上下反転した際の様子を示す説明図である。
【図４】図３での表示内容の書き換え後に、電子ぺーパを１枚めくった際の様子を示す説明図である。
【図５】ページ６０を表示させるまでの流れを示す説明図である。
【図６】ページ１を表示している様子を示す説明図である。
【図７】途中の表示面を開いている状態で上下反転した際の様子を示す説明図である。
【図８】図７（Ｂ）の状態から、電子ぺーパを１枚めくった際の様子を示す説明図である。
【図９】書き換え禁止ページを表示する表示面を開いている状態で、上下反転させた場合の様子の一例を示す説明図である。
【図１０】最後のデータを表示した表示面以降の表示面が余った場合の様子の一例を示す説明図である。
【図１１】最初のデータを表示した表示面よりも前の表示面が余った場合の様子の一例を示す説明図である。
【図１２】態様例１における処理の流れを示す流れ図である。
【図１３】各表示面に表示されるページを示す対応表を示す説明図である。
【図１４】態様例２において、上下反転後に所定の時間が経過した場合の様子を示す説明図である。
【図１５】態様例２における処理の流れを示す流れ図である。
【図１６】複数のファイルを保存したＳＤカードがセットされた際に作成されるファイル情報テーブルの一例を示す説明図である。
【図１７】実施例３において、途中の表示面を開いている状態で上下反転した際の様子を示す説明図である。
【図１８】態様例３において、上下反転によって表示内容の書き換えを行う際の処理の流れを示す流れ図である。
【発明を実施するための形態】
【００３１】
以下、図面に基づき本発明の実施の形態を説明する。
【００３２】
図１は、本発明の実施の形態に係る表示装置１０を示す。表示装置１０は、本のようにページめくり可能に綴じられた１０枚の電子ペーパ３１と、これらの電子ペーパ３１をまとめる為の表表紙８０、裏表紙８１、背表紙８２とを備えた、ブック型電子ペーパーデバイスである。図１（Ａ）は表示装置１０を閉じた状態、図１（Ｂ）は開いた状態の一例を示している。
【００３３】
電子ペーパ３１は、略矩形の薄く平らな表示デバイスであり、その表面と裏面の各表示面に異なる内容を表示することが可能である。表示装置１０を開きかつ裏表紙８１側に全ての電子ペーパ３１を集めた状態で、一番上にある表示面を第１表示面とする。第１表示面の裏側の表示面を第２表示面とする。第２表示面の隣の表示面を第３表示面、その裏側の表示面を第４表示面、その隣の表示面を第５表示面・・・と順番に続いていき、一番下にある表示面を第２０表示面とする。表示装置１０は、これら２０個の表示面に２０ページ分の画像を一度に表示することができる。
【００３４】
また、本発明の表示装置１０は、開いた状態で、その開かれている表示面の臨む向きが変わらないようにして表示装置１０が１８０度回転（たとえば、背表紙８２を机に着けて開いた状態のまま表示装置１０を机の上で１８０度回転）された場合に（以後、上下反転と呼ぶ）、各電子ペーパ３１の表示面の表示内容を、その開かれている表示面に応じて書き換える機能を備えている。
【００３５】
図２は、本発明の実施の形態に係る表示装置１０の概略構成を示すブロック図である。表示装置１０は、当該表示装置１０の動作を統括的に制御する制御部としてのＣＰＵ(Central Processing Unit)１１を有している。ＣＰＵ１１にはバスを通じてＲＯＭ(Read Only Memory)１２と、ＲＡＭ(Random Access Memory)１３と、不揮発メモリ１４と、回転検知部１５と、ページ検知部１６と、タイマー１７と、電源部１８と、ＳＤ（Secure Digital）カード接続部１９と、表示部３０とを備えている。なお、表示部３０以外は、前述の表表紙８０、裏表紙８１、背表紙８２のいずれかの部分に含まれて構成されている。
【００３６】
ＲＯＭ１２には、起動プログラムのほか、各種のプログラムが格納されている。ＣＰＵ１１が、ＲＯＭ１２に格納されているプログラムをＲＡＭ１３にロードし、このプログラムに従って各種の処理を実行することで、表示装置１０としての各機能を実現する。また、ＲＯＭ１２には、表示装置１０の一連の制御をＣＰＵ１１が実行するためのプログラムが格納されている。
【００３７】
ＲＡＭ１３は、プログラムのロードエリアのほか、ＣＰＵ１１がプログラムを実行する際に、各種のデータを一時的に格納するワークエリアとして使用される。本実施の形態では、電子ペーパ３１に表示させるデータを一時的に保存する表示メモリとしても使用される。
【００３８】
不揮発メモリ１４は、電源をオフにしても記憶内容が破壊されないメモリ（フラッシュメモリ）であり、各種設定情報の保存などに使用される。本実施の形態では、後述する対応表６０（図１３参照）や、ファイル情報テーブル７０（図１６参照）等が保存される。
【００３９】
回転検知部１５は、回転検知部１５に備えられたジャイロセンサや電子コンパス等のセンサと、タイマー１７を使用して、表示装置１０が、現在位置から一定時間内（３秒程度）に上下反転したか否かを検知する。上下反転では、正確に１８０度回転させなくても、誤差±３０度程度ならば上下反転したと判定する。なお、表示装置１０の表示面が臨む向きが反転するように表示装置１０を回転させても上下反転として検知しない。また、一定時間を超えるようにゆっくりと上下反転された場合は、その上下反転は無効とし、有効な上下反転としては検知しない。
【００４０】
表示部３０は、１０枚の電子ペーパ３１がブック形式でまとめられて（本のようにページめくり可能に綴じられて）構成されている。本実施の形態では、各電子ペーパ３１はＢ５サイズ程の略矩形の平板形状を有する粒子移動型の電子ペーパであって表裏両面に異なる画像を表示可能である。またＣＰＵ１１によって指示された画像データ（表示データ）に従って画像を表示する機能を果たす。なお、カラーフィルタを使用することでカラー表示にも対応可能になっている。電子ペーパ３１は縦横の行列状に画素を配列しており、所謂、ドットマトリクス型のパネルである。本実施の形態では、電子ペーパ３１が表示する表示内容の制御、はＣＰＵ１１が行う。
【００４１】
ページ検知部１６は、表示装置１０が開かれているか否かを検知する。また、開かれている場合は、複数の表示面のうち、いずれの表示面を上にして開かれているのかを検知する。たとえば、表示装置１０の背表紙８２の部分と電子ペーパ３１の接続部分に検出機構を設け、各電子ペーパ３１が表表紙８０と裏表紙８１のどちら側に倒れているかを判定し、現在開かれている表示面（ユーザに閲覧されている表示面）を検出する。図３（Ａ）のように、表表紙８０側に全ての電子ペーパ３１を集めた状態では、一番上にある表示面が第２０表示面なので、第２０表示面が開かれていると検知する。表表紙８０側に１枚、裏表紙８１側に９枚の電子ペーパ３１がある場合では、第２表示面と第３表示面が開かれていると検知する。
【００４２】
タイマー１７は、前述の回転検知部１５が上下反転を検知する際に使用される他、表示装置１０が上下反転した後の時間経過を監視する。
【００４３】
電源部１８は、所謂、充電電池であって、表示装置１０に電気を供給する役割を担う。たとえば、ＣＰＵ１１の駆動や、電子ペーパ３１の表示内容の書き換え、回転検知部１５やページ検知部１６の動作は電気が必要とされる。充電電池は取り外して充電を行ってもよいし、電源からコネクタをつなげる形で充電を行ってもよい。電源クレードル（充電スタンド）を使用して充電するようにしてもよい。
【００４４】
ＳＤカード接続部１９は、ＳＤカードがセットされたか否かを検知する。ＳＤカードは取り外しや交換が可能な大容量の不揮発メモリである。ＳＤカードには、電子ペーパ３１に表示させる文書ファイルや、イメージファイル等が保存されている。各ファイルは、複数ページ分のデータで構成され、電子ペーパ３１の１つの表示面全体を使用して１つのページが表示される。これらのページには昇順に通し番号が割り振られており、その順番に従ってこれらのページが表示装置１０の各電子ペーパ３１に昇順に表示される。ユーザは外部の装置を用いて表示装置１０で表示させるデータをＳＤカードに記憶させる。
【００４５】
ＳＤカードが表示装置１０にセットされると、ＳＤカード接続部１９はＳＤカードがセットされたことを検知し、そのＳＤカードの中のデータを先頭からページ単位で、表示装置１０の表示面の数だけ（ここでは２０面分）取り出して、それらのデータ形式を各表示面に表示させる上で適切な形式に変換し（たとえば、文書ファイルをイメージファイル等の画像データに変換し）、その変換後のデータ（画像データ）を表示メモリ（ＲＡＭ１３）に転送し、この画像データに基づいて電子ペーパ３１の表示内容を書き換える。この動作は、電子ペーパ３１にすでに何かが表示されている場合でもＳＤカードの入れ替えが行われた時は必ず行われる。
【００４６】
電子ペーパ３１の表示内容を書き換える時には、それまで表示されていた表示内容に係る画像データを表示メモリから消去し、新たな画像データを表示メモリ（ＲＡＭ１３）に転送する。また、表示面と、その表示面に表示させるページを対応させた対応表６０（図１３参照）を作成し、不揮発メモリ１４で記憶しておく。
【００４７】
これより、表示装置１０を上下反転させた際の表示内容の書き換えについて、複数の態様例を挙げて説明する。以下の説明では、第１表示面、もしくは第２０表示面であって、右側に開かれている状態の表示面を最初の表示面とし、第１表示面、もしくは第２０表示面であって、左側に開かれている状態の表示面を最後の表示面とする。
【００４８】
また、電子ペーパ３１をめくる（順めくりする）動作は、右側にある電子ペーパ３１を左側に移動させるものとし、左側から右側に移動させる動作は、逆めくりであるとする。基本的には、ユーザは、右から左へと電子ペーパ３１をめくって、ページを読み進めるものとする。
【００４９】
＜態様例１＞
＜端（最後、最初）の表示面を開いている状態での上下反転＞
図３（Ａ）は、表示装置１０が電子ペーパ３１の最後の表示面（ここでは第２０表示面）を上にして開かれている状態の一例を示す。図中では、開かれている状態の表示装置１０の左側（ここでは、表表紙８０側）に全ての電子ペーパ３１が集まっており、その一番上の、ユーザが閲覧可能な表示面が（第２０表示面）最後の表示面である。ここでは第２０表示面が最後の表示面であり、第１表示面が最初の表示面である。
【００５０】
この最後の表示面（第２０表示面、図中では表示面の下方に２０面と記す）には、ファイル１のページ２０（図中では、file１ Ｐ２０と記す）が表示されている。ユーザが、図３（Ａ）の表示装置１０を上下反転させると、各電子ペーパ３１の表示内容が書き換えられ、第２０表示面には、ページ２０の続きであるページ２１が表示される（図３（Ｂ））。なお、表示装置１０が上下反転しても、表示内容の向きがユーザから見て同一方向になるように書き換えられる。
【００５１】
図３（Ｂ）の状態では、ユーザから見て右側に、１０枚の電子ペーパ３１が集められている。ユーザが電子ペーパ３１を順めくりしていくと（右側から左にめくっていくと）、ファイル１のページ２１以降のページを閲覧することができる。なお、上下反転によって、開かれている状態の表示装置１０の右側（ここでは、表表紙８０側）に全ての電子ペーパ３１が集まっており、その一番上の、ユーザが閲覧可能な第２０表示面が最初の表示面となり、第１表示面が最後の表示面となる。
【００５２】
図４（Ｃ）は、図３（Ｂ）の状態から、ユーザが電子ペーパ３１を１枚めくった際の表示内容を示す。ここでの見開きの表示面は第１９表示面と第１８表示面である。上下反転前（図３（Ａ）の状態）は第１９表示面にファイル１のページ１９が、第１８表示面にファイル１のページ１８が表示されていたが、図４（Ｃ）では（上下反転後では）、見開きの表示面の左側（第１９表示面）にファイル１のページ２２が、見開きの表示面の右側（第１８表示面）にファイル１のページ２３が表示されている。
【００５３】
このように、表示装置１０を、電子ペーパ３１の最後の表示面が開かれている状態で上下反転させると、ユーザは、その最後の表示面に表示されていたページの次以降のページが閲覧可能になる。
【００５４】
また、図３（Ｂ）の状態で、再び表示装置１０を上下反転させると、各電子ペーパ３１の表示内容が再び書き換えられ、各表示面の表示内容は上下反転前の内容（図３（Ａ）参照）に戻る。
【００５５】
つまり、最後の表示面を開いている状態で、表示装置１０の上下反転を行えば、その最後の表示面に表示されていたページの次以降のページが、反転後の表示装置１０で閲覧可能になる。また、最初の表示面を開いている状態で、表示装置１０の上下反転を行えば、その最初の表示面に表示されていたページのより前のページが、反転後の表示装置１０で閲覧可能になる。
【００５６】
具体例を挙げて説明する。図３（Ａ）の状態でユーザが、ファイル１のページ６０を閲覧しようとする場合、まず、ユーザが図３（Ａ）の状態の表示装置１０を上下反転させる。これにより、各表示面の表示内容はページ２１〜ページ４０に書き換えられる（図３（Ｂ）の状態）。
【００５７】
その後、ユーザはその上下反転状態で、最後の表示面（第１表示面）が見えるまで電子ぺーパ３１をめくる（図５（Ａ）参照）。図５（Ａ）は、最後の表示面である第１表示面を開いている状態を示す。この状態でもう一度上下反転を行う。これにより、各表示面の表示内容はページ４１〜ページ６０に書き換えられる（図５（Ｂ）参照）。
【００５８】
図５（Ｂ）は、最初の表示面である第１表示面を開いている状態を示す。ユーザは、再び最後の表示面が見えるまで電子ぺーパ３１をめくる（図５（Ｃ）参照）。図５（Ｃ）が示す最後の表示面（第２０表示面）にはファイル１のページ６０が表示されており、ユーザはページ６０を閲覧することができる。
【００５９】
その後、ユーザがファイル１のページ１を閲覧したい場合は、まず、電子ペーパ３１を逆めくりし、最初の表示面（第１表示面）を開く（図５（Ｂ）参照）。この最初の表示面にはファイル１のページ４１が表示されている。この最初の表示面を開いている状態で、上下反転を行う（図５（Ａ）参照）。これにより、各表示面の表示内容はページ２１〜ページ４０に書き換えられる。
【００６０】
その後、もう一度電子ペーパ３１を逆めくりし、最初の表示面（第２０表示面）を開く。その時、この最初の表示面にはファイル１のページ２１が表示されている（図３（Ｂ）参照）。この最初の表示面を開いている状態で、もう一度上下反転を行う。これにより、各表示面の表示内容はページ１〜ページ２０に書き換えられる（図３（Ａ）参照）。
【００６１】
その後、もう一度電子ペーパ３１を逆めくりし、最初の表示面（第１表示面）を開く（図６参照）。図６は、最初の表示面である第１表示面にファイル１のページ１を表示している状態であり、ユーザはページ１を閲覧することができる。
【００６２】
これにより、ＳＤカードに記憶されているページ数が表示装置１０の表示面の数を超える場合であっても、ユーザは電子ペーパ３１の表示内容を切り替えることで、全てのページの内容を閲覧することが可能となる。普通は本を読む際にユーザが行わない上下反転という動作によって表示内容の書き換えが行われるので、ユーザの意図しない書き換えは発生しない。また、ページをめくる毎に書き換えるような装置の場合は、ページを逆めくりしても以前に表示されていたページを閲覧できないが、表示装置１０は最初または最後のページが開かれている状態で上下反転させるまでは書き換えが行われないので、上下反転に起因する書き換え前であれば、ページを逆めくりすることで、一度閲覧した表示面の表示内容を再び閲覧することができる。
【００６３】
次に、途中の表示面（第２表示面〜第１９表示面、端以外の表示面）を開いている状態で表示装置１０を上下反転させた場合について説明する。
【００６４】
図７（Ａ）は、途中の表示面である第８表示面と第９表示面が開かれている状態の表示装置１０の様子の一例を示す。図７（Ａ）では、見開きの左側の表示面（第８表示面）には、ファイル１のページ８が、右側の表示面（第９表示面）には、ファイル１のページ９が表示されている。図７（Ａ）の状態では、表示面の番号（第ｍ表示面）と、ページの番号（ページｎ）が同じ数字になっている。
【００６５】
図７（Ｂ）は、図７（Ａ）の状態で表示装置１０を上下反転させた場合の様子を示す。図７（Ｂ）では、見開きの左側の表示面（第９表示面）には、ファイル１のページ９が、右側の表示面（第８表示面）には、ファイル１のページ１０が表示されている。
【００６６】
図７（Ｂ）では、見開きの左側の表示面（第９表示面）に、上下反転前の見開きの左側の表示面（第８表示面）に表示されていたページの次のページが表示され、また、見開きの右側の表示面（第８表示面）には、上下反転前の見開きの右側の表示面（第９表示面）に表示されていたページの次のページが表示される。なお、表示装置１０が上下反転しても、表示内容の向きがユーザから見て同一方向になるように書き換えが行われる。
【００６７】
また図７（Ｂ）では、見開きの表示面（第８表示面、第９表示面）以外の全ての表示面の表示内容も書き換えられている。図８（Ａ）は、図７（Ｂ）の状態で、電子ペーパ３１を１枚めくった（右側から左側に移動させた）場合の様子を示す。図８（Ａ）では、第７表示面と第６表示面が開かれており、第７表示面には、ファイル１のページ１１が、第６表示面には、ファイル１のページ１２が表示されている。また、図示を省略しているが、第５表示面には、ファイル１のページ１３が、第４表示面には、ファイル１のページ１４が表示されている。第３表示面、第２表示面、第１表示面も同様に、上下反転前（図７（Ａ）の状態）の表示内容が書き換えられ、新たな内容が表示されている。
【００６８】
図８（Ｂ）は、図７（Ｂ）の状態で、電子ペーパ３１を１枚逆めくりした（左側から右側に移動させた）場合の様子を示す。図８（Ｂ）では、第１１表示面と第１０表示面が開かれており、第１１表示面には、ファイル１のページ７が、第１０表示面には、ファイル１のページ８が表示されている。また、図示を省略しているが、第１２表示面には、ファイル１のページ６が、第１３表示面には、ファイル１のページ５のデータが表示されている。第１４表示面、第１５表示面、第１６表示面・・・も同様に、上下反転前（図７（Ａ）の状態）の表示内容が書き換えられ、新たな内容が表示されている。
【００６９】
このように、途中の表示面を開いている状態で、表示装置１０の上下反転を行った場合、その見開きの表示面で閲覧可能なページが、最終ページ方向へ１ページ分進む。また、その見開きの表示面よりも順めくり方向の表示面には、見開きの表示面に新たに表示されたページの次以降のページが、逆めくり方向の表示面には、見開きの表示面に新たに表示されたページより前のページが、表示される。なお、途中の表示面を開いている状態で表示装置１０の上下反転を繰り返すことで、書き換え回数は増えてしまうものの、電子ペーパ３１をめくることなく最後のページまで閲覧することも可能である。
【００７０】
＜書き換え禁止ページの設定＞
図面等のようにあらゆる角度から見る可能性のあるデータが表示されている場合、ユーザがそのページを反対側から見ようとすることが推定される。そこで、外部の装置でＳＤカードにファイルを保存する際に、上下反転に起因する書き換えを禁止するページを予め設定しておく。表示装置１０は、書き換えが禁止されたページを表示している表示面を開いている状態で上下反転されても、表示内容の書き換えを実行しない。
【００７１】
具体例を挙げて説明する。図９（Ａ）は、書き換えが禁止されたページを表示している表示面を開いている状態の表示装置１０の様子の一例を示す。図９（Ａ）では、見開きの右側の表示面に、頂点が上向きの二等辺三角形の図形が表示されている。
【００７２】
図９（Ｂ）は、図９（Ａ）の状態で表示装置１０を上下反転した場合の様子を示す。表示内容の書き換えは起こらず、見開きの左側の表示面には、頂点が下向きの二等辺三角形の図形が表示されている。
【００７３】
このように書き換えが禁止されたページを表示している表示面を開いている状態で上下反転されても、その表示面の表示内容を書き換えないので、ユーザは表示装置１０を上下反転させた状態での表示内容を閲覧することができる。
【００７４】
なお、書き換えの禁止されたページが最後の表示面、もしくは最初の表示面に表示された場合には、その状態で表示装置１０を上下反転させても、次以降のページ（もしくは前ページ）への表示内容の書き換えは行われない。このような場合は、途中の表示面を開いた状態で表示装置１０を上下反転させると各表示面に表示されるページが最終ページ側へ進む前述の機能を利用すればよい。すなわち、上記機能を任意回数使用することで、最後（または最初）の表示面に表示されるページが書き換えの禁止されていないページとなるように変更すれば、最後（または最初）の表示面が開いている状態での書き換え禁止を回避させることができる。
【００７５】
＜書き換えが行われない表示面（余った表示面）がある場合＞
最後の表示面が開かれている状態で、上下反転させて次以降のページへの書き換えを行った場合に、このファイルの次以降の残りページ数が表示面の数より少ない場合、たとえば、最終ページまでの残りページ数が１２ページであった場合、書き換えの起こらない表示面（余った表示面）が生じる。書き換えの起こらない表示面には以前のページがそのまま表示されているので、書き換え後の最終ページを認識し難く、その後ろにさらにページが続いているように見えてしまう。
【００７６】
そこで、最終ページを表示している表示面の隣の表示面であって、書き換えを行っていない表示面（最終ページを表示している表示面の次の表示面）に、データ表示が終了した旨を通知する表示内容（区切り表示）を表示させ、書き換えを行った表示面と、書き換えを行っていない表示面を区別する。これにより、余った全ての表示面の表示内容を消去する（あるいは区切り表示を行う）場合に比べて、書き換え量が少なくなり、電力消費を低減することができる。
【００７７】
図１０（Ａ）は、開かれている状態の表示装置１０において、左側の表示面（第８表示面）に最終ページが表示されている場合の一例を示す。第８表示面に最終ページが表示されており、第９表示面以降の表示面に表示させるページが無く、表示面が余っている。そこで、第９表示面（最後ページを表示している表示面にはデータ表示が終了した旨を表示する。図１０（Ｂ）は、見開きの右側の表示面（図１０（Ａ）の斜線部分）である第９表示面に表示される表示内容を示す。データ表示が終了した旨の通知（区切り表示）が表示されている。
【００７８】
なお、そもそもＳＤカードに保存されているページの数が表示面の数よりも少なかった場合も、最終ページを表示させた表示面の次の表示面に、データ表示が終了した旨の通知を表示させる。
【００７９】
また、途中の表示面を開いている状態で上下反転した場合、第１ページ（最初のページ）を表示した表示面以前の表示面が余ってしまう場合がある。
【００８０】
たとえば、図１１は、途中の表示面を開いている状態で表示装置１０を上下反転した場合に第１ページを表示した表示面以前の表示面が余ってしまった場合の一例を示す。
【００８１】
図１１（Ａ）は、途中の表示面である第２表示面と第３表示面が見開きの状態の表示装置１０を示す。第２表示面にはファイル１のページ２が、第３表示面にはファイル１のページ３が表示されている。
【００８２】
図１１（Ｂ）は、図１１（Ａ）の状態の表示装置１０を上下反転させた場合の様子を示す。表示内容が書き換えられ、第２表示面にはファイル１のページ４が、第３表示面にはファイル１のページ３が表示されている。
【００８３】
図１１（Ｃ）は、図１１（Ｂ）の状態の表示装置１０において、２枚の電子ペーパ３１を逆めくりした（左側から右側に移動させた）場合の様子を示す。図１１（Ｃ）は、第６表示面と第７表示面が見開きの状態である。図示を省略しているが、第４表示面には、ファイル１のページ２が、第５表示面にはファイル１のページ１が表示されている。
【００８４】
第５表示面に第１ページ（最初のページ、ページ１）を表示しているので、第６表示面以降のページに表示させるページが無い。そこで、第６表示面の表示内容は区切り表示に書き換えて、以後の表示面（第７表示面以降）と、今回書き換えが行われた表示面を区別する。なお、第７表示面以降のページの表示内容は上下反転前に表示されていた内容から書き換えられていない。
【００８５】
図１２は、上下反転が行われてから、表示内容を書き換えるまでに表示装置１０で行われる処理の流れを示す。
【００８６】
表示装置１０が開かれている状態の時、ＣＰＵ１１は表示装置１０の上下反転を監視する（ステップＳ１０１）。回転検知部１５により上下反転が検出されるのを待って（ステップＳ１０１；Ｎｏ）、上下反転が検出されたら（ステップＳ１０１；Ｙｅｓ）、ＣＰＵ１１は、ページ検知部１６を使用して、開かれている表示面の番号（第ｍ表示面）を取得する。また、その取得した表示面番号（第ｍ表示面）を、不揮発メモリ１４に保存されている対応表６０に照らし合わせて、その開かれている表示面（第ｍ表示面）に表示されているページの番号（ページｎ）を取得する（ステップＳ１０２）。
【００８７】
なお、表示装置１０が見開きの状態で開かれている場合（途中の表示面が開かれている場合）は、見開きの表示面のうち、左側の表示面を第ｍ表示面とする。たとえば、図７（Ａ）においては、第８表示面を第ｍ表示面として取得し、図７（Ｂ）においては第９表示面を第ｍ表示面として取得する。
【００８８】
図１３は、不揮発メモリ１４に保存されている対応表６０の一例を示す。対応表６０は不揮発メモリ１４の中の専用の記憶エリアに保存されている。また、表示装置１０は、電子ペーパ３１の書き換えが行われる度に新たな対応表６０を作成し、上書き保存する。対応表６０には、第ｍ表示面に、どのページｎが表示されているのかが登録されている。図１３の対応表６０では、ｍとｎの数値が一致するように登録されている。対応表６０の内容と一致する表示状態の例として図３（Ａ）が該当する。
【００８９】
図１３の対応表６０Ａは、対応表６０の内容と一致する表示状態の表示装置１０を（図３（Ａ）参照）、第２０表示面（最後の表示面）を開いた状態で上下反転させた場合に作成され、上書き保存される新たな対応表６０Ａである。第２０表示面（ｍ＝２０）にページ２１（ｎ＝２１）が割り当てられ、そこからｍの数値が下がるごとにｎの数値が順番に上がっていくように（（ｍ/ｎ）１９/２２、１８/２３、１７/２４・・・）登録されている。対応表６０Ａの内容と一致する表示状態の例として図３（Ｂ）、図４（Ｃ）が該当する。
【００９０】
対応表６０の示す表示状態の表示装置１０を、第４表示面（途中の表示面）を開いた状態で上下反転させると、表示内容が書き換えられると共に、対応表６０Ｂが作成され、上書き保存される。まず、対応表６０Ｂでは、開かれていた表示面（第４表示面）には、ページ６が、その隣の表示面である第５表示面にはページ５が割り振られ、また、他の表示面にも、新たなページが割り振られている。また、第９表示面に最初のページを登録し、第１０表示面以降に割り振るページが無くなったので、第１０表示面にはデータ表示が終了した旨を通知する表示内容（区切り表示）を割り当て、その後の表示面（第１１表示面以降）はページの割り当てを行わない（「無し」を登録）。この無しが登録されている表示面は、表示内容の書き換えが行われない。
【００９１】
図１２に戻って説明を続ける。ステップＳ１０３では、ページｎが書き換え禁止ページか否かを調べる。書き換え禁止ページであれば（ステップＳ１０３；Ｙｅｓ）、ステップＳ１０１に戻って処理を継続する。書き換え禁止ページでなければ（ステップＳ１０３；Ｎｏ）、ステップＳ１０４に進む。なお、見開きの状態で開かれている場合は、ページ（ｎ＋１）が書き換え禁止ページであるか否かも調べ、ページｎとページ（ｎ＋１）のうち少なくともいずれか一方が書き換え禁止ページであれば、ステップＳ１０１に戻って処理を継続する。ページｎとページ（ｎ＋１）の両方が書き換え禁止ページでなければ、ステップＳ１０４に進む。
【００９２】
第ｍ表示面が最初の表示面であれば（ステップＳ１０４；Ｙｅｓ）ステップＳ１０５に進む。第ｍ表示面が最初の表示面でなければ（ステップＳ１０４；Ｎｏ）ステップＳ１０６に進む。
【００９３】
ステップＳ１０５では、「ｎ−１」以前のページのデータを表示面の数だけ（ここでは２０ページ分）ＳＤカードから読み出して、各表示面の表示内容を書き換える。その後、ステップＳ１０９に進む。
【００９４】
ステップＳ１０６では、第ｍ表示面が最後の表示面であるか否かを調べる。
【００９５】
第ｍ表示面が最後の表示面であれば（ステップＳ１０６；Ｙｅｓ）、ステップＳ１０７に進む。第ｍ表示面が最後の表示面でなければ（ステップＳ１０６；Ｎｏ）ステップＳ１０８に進む。
【００９６】
ステップＳ１０７では、「ｎ＋１」以降のページのデータを表示面の数だけ（ここでは２０ページ分）ＳＤカードから読み出して、各表示面の表示内容を書き換える（図３（Ｂ）、図４（Ｃ）参照）。その後、ステップＳ１０９に進む。
【００９７】
ステップＳ１０８では、まず、第ｍ表示面の表示内容をページｎからページ（ｎ＋２）に書き換える。第（ｍ＋１）表示面の表示内容は、上下反転前と同じページ（ｎ＋１）であるが、上下方向を反転させた内容に書き換える。また、「ｎ」以前、「ｎ＋３」以降のページのデータを残りの表示面の数にあわせて読み出し、「ｍ−１」以前のページ、「ｍ＋２」以降のページの表示内容を書き換える。その後ステップＳ１０９に進む。
【００９８】
ステップＳ１０９では、余った表示面があるか否かを調べる（図１０、図１１参照）。たとえば、ステップＳ１０７で「ｎ＋１」以降のページが、表示面の数よりも少なかった場合には、書き換えを行っていない表示面（余った表示面）が発生する。
【００９９】
余った表示面がある場合は（ステップＳ１０９；Ｙｅｓ）、最終ページの表示内容に書き換えた表示面があれば、その次の表示面に所定の区切り情報を書き込み、第１ページ（最初のページ）の表示内容に書き換えた表示面があれば、その１つ前の表示面に所定の区切り情報を書き込む（ステップＳ１１０）（図１０、図１１参照）。その後、処理を終了する。
【０１００】
余った表示面が無い場合は（ステップＳ１０９；Ｎｏ）、処理を終了する。なお、処理終了時には、新たな対応表６０を作成し、不揮発メモリ１４の専用の記憶エリアに上書き保存する。また、図１２の処理は処理終了後も、表示装置１０が閉じられるまでは継続して繰り返し行われる。
【０１０１】
＜態様例２＞
態様例２では、表示装置１０が上下反転した際に、直ぐに全ての表示面の表示内容を書き換えない。まず、上下反転されたら、開かれている表示面（見開きの場合は左右の２つの表示面）と、その表示面の前もしくは後ろの２つの表示面（見開きの場合は前後２つずつの４つの表示面）のみ表示を書き換える。また、書き換えるとともに、タイマー１７が時間の計測を始める。このときの書き換えを初期書き換えと呼ぶ。
【０１０２】
初期書き換えの後、上下反転が行われてから所定の時間が経過するまでに電子ペーパ３１がめくられたら（逆めくりでも可）、残りの表示面の表示内容を書き換える。所定時間が経過するまでに電子ペーパ３１がめくられなかったら、書き換えた表示面以降の表示面をユーザが閲覧しないと判断し、残りの表示面の表示の書き換えを行わず、その書き換えた表示面の表示内容を、初期書き換えを行う前の表示内容に戻す（再び書き換える）。
【０１０３】
これにより、たとえば、ユーザが上下反転後に電子ペーパ３１をめくらない場合は、表示内容の書き換え量とともに電力の消費を抑えることができる。表示内容の更新を目的としていない誤った上下反転動作を検知した場合における、無駄な書き換え動作の動作量を少なくすることができる。ユーザが上下反転後に表示デバイスをめくらない場合は、書き換えを意図しない上下反転であったと推定されるので、元に戻すことで、ユーザの意図に合致した表示内容に戻る。また、中途半端な書き換え状態のままにされることが防止される。
【０１０４】
なお、所定の時間が経過したか否かについては、ＣＰＵ１１がタイマー１７を使用して判断する。所定の時間は、５分等、上下反転後にユーザが電子ペーパ３１をめくるまでにかかる相応の時間、つまりユーザが１ページ（見開きでは２ページ）を閲覧するのに必要と想定した最大時間に予め設定しておけばよい。
【０１０５】
なお、態様例１では、電子ペーパ３１の書き換えが行われる度に、新たな対応表６０を作成し、上書き保存していたが、態様例２では初期書き換え後のユーザの動作によっては、初期書き換え以前の対応表６０に戻さなければならない場合がある。そこで、態様例２では、初期書き換えが行われた際には、新たな対応表６０は作成せずに（初期書き換え以前の内容の対応表６０を残しておきつつ）、初期書き換え後の内容に対応する仮対応表を作成する。
【０１０６】
その後、初期書き換えを行う前の表示内容に戻す場合は、対応表６０を使用して、初期書き換えを行う前の表示内容を復元する（再び書き換える）。その後、仮対応表を破棄する。残りのページの内容を書き換える場合は、仮対応表を使用して、残りのページの表示内容を書き換える。その後、仮対応表を対応表６０に上書き保存する。
【０１０７】
態様例２において具体例を挙げて説明する。まず、図３（Ａ）の状態、つまり、最後の表示面（第２０表示面）を開いている状態の表示装置１０を上下反転させる。その第２０表示面と、その後ろの２つの表示面である第１９表示面と第１８表示面の表示内容が書き換えられる。この初期書き換えによって第２０表示面、第１９表示面、第１８表示面に表示される表示内容は図３（Ｂ）、図４（Ｃ）の状態の時と同様の内容である。
【０１０８】
また、表示装置１０が上下反転されても第１７表示面以降（第１７表示面、第１６表示面、第１５表示面・・・）の表示面は書き換えを行わない。上下反転された時点（初期書き換えが行われた時点）で、ＣＰＵ１１はタイマー１７を作動させ、経過時間を監視する。
【０１０９】
上下反転後（図３（Ｂ）の状態）、所定の経過時間が経過する前に、ユーザが電子ペーパ３１を１枚めくり、図４（Ｃ）の状態になった時点で、ＣＰＵ１１は残りの表示面（第１７表示面〜第１表示面）の表示内容を書き換える。なお、めくられる電子ペーパ３１の枚数は１枚に限らず複数枚を一度にめくってもよい。
【０１１０】
上下反転後（図３（Ｂ）の状態）、電子ペーパ３１がめくられる（逆めくりされる）ことのないまま所定の時間が経過した場合は、第２０表示面、第１９表示面、第１８表示面の表示内容を上下反転前（初期書き換えが行われる前）と同じ内容に書き換える（戻す）。図１４は、上下反転後にページがめくられることのないまま所定の時間が経過した場合の様子を示す。
【０１１１】
図１４（Ｂ）は、図３（Ｂ）と同様の状態（一度上下反転が行われた後の状態）である。この状態で所定の時間が経過すると、第２０表示面、第１９表示面、第１８表示面の表示内容（図４（Ｃ）参照）が、上下反転前に表示されていた表示内容に書き換えられる。図１４（Ｄ）は上下反転が行われてから、所定の時間が経過したので、表示内容を上下反転前に戻した場合の様子を示す。表示されている内容は図３（Ａ）と同様の内容であるが、表示装置１０の向きは、上下逆さまの状態である。
【０１１２】
なお、図１４（Ｄ）の状態から表示装置１０を上下反転しても、１度だけ表示内容の書き換えを行わない。これにより、ユーザが閲覧する向きと、表示内容の向きのズレを解消することができる。
【０１１３】
図１５は態様例２において、上下反転が行われてから、表示内容を書き換えるまでに表示装置１０で行われる処理の流れを示す。
【０１１４】
表示装置１０が開かれている状態の時、ＣＰＵ１１は表示装置１０の上下反転を監視する（ステップＳ２０１）。回転検知部１５により上下反転が検出されるのを待って（ステップＳ２０１；Ｎｏ）、検出されたら（ステップＳ２０１；Ｙｅｓ）、ＣＰＵ１１は、ページ検知部１６を使用して、開かれている表示面の番号（第ｍ表示面）を取得する。また、その取得した表示面番号（第ｍ表示面）を、不揮発メモリ１４に保存されている対応表６０に照らし合わせて、その開かれている表示面（第ｍ表示面）に表示されているページの番号（ページｎ）を取得する（ステップＳ２０２）。
【０１１５】
なお、表示装置１０が見開きの状態で開かれている場合（途中の表示面が開かれている場合）は、見開きの表示面のうち、左側の表示面を第ｍ表示面とする。たとえば、図７（Ａ）においては、第８表示面を第ｍ表示面として取得し、図７（Ｂ）においては第９表示面を第ｍ表示面として取得する。
【０１１６】
ステップＳ２０３では、取得したページｎが書き換え禁止ページか否かを調べる。書き換え禁止ページであれば（ステップＳ２０３；Ｙｅｓ）、ステップＳ２０１に戻って処理を継続する。書き換え禁止ページでなければ（ステップＳ２０３；Ｎｏ）、ステップＳ２０４に進む。なお、見開きの状態で開かれている場合は、ページ（ｎ＋１）が書き換え禁止ページであるか否かも調べ、ページｎとページ（ｎ＋１）のうち少なくともいずれか一方が書き換え禁止ページであれば、ステップＳ２０１に戻って処理を継続する。ページｎとページ（ｎ＋１）の両方が書き換え禁止ページでなければ、ステップＳ２０４に進む。
【０１１７】
第ｍ表示面が最初の表示面であれば（ステップＳ２０４；Ｙｅｓ）ステップＳ２０５に進む。第ｍ表示面が最初の表示面でなければ（ステップＳ２０４；Ｎｏ）ステップＳ２０６に進む。
【０１１８】
ステップＳ２０５では、「ｎ−１」、「ｎ−２」、「ｎ−３」のページのデータをＳＤカードから読み出して、第ｍ表示面と、その前の２つの表示面（ｍ＝２０の時は第１９表示面と第１８表示面、ｍ＝１の時は第２表示面と第３表示面）の表示内容を、先程読み出したページに書き換える。その後、ステップＳ２０９に進む。
【０１１９】
ステップＳ２０６では、第ｍ表示面が最後の表示面であるか否かを調べる。第ｍ表示面が最後の表示面であれば（ステップＳ２０６；Ｙｅｓ）、ステップＳ２０７に進む。第ｍ表示面が最後の表示面でなければ（ステップＳ２０６；Ｎｏ）ステップＳ２０８に進む。
【０１２０】
ステップＳ２０７では、「ｎ＋１」、「ｎ＋２」、「ｎ＋３」のページのデータをＳＤカードから読み出して、第ｍ表示面と、その後ろの２つの表示面（ｍ＝２０の時は第１９表示面と第１８表示面、ｍ＝１の時は第２表示面と第３表示面）の表示内容を、先程読み出したページに書き換える。その後、ステップＳ２０９に進む。
【０１２１】
ステップＳ２０８では、まず、「ｎ−１」、「ｎ」、「ｎ＋１」、「ｎ＋２」、「ｎ＋３」、「ｎ＋４」のページ番号のデータ（内容）をＳＤカードから読み出して、第（ｍ−２」表示面、第（ｍ−１）表示面、第ｍ表示面、第（ｍ＋１）表示面、第（ｍ＋２）表示面、第（ｍ＋３）表示面の、計６つの表示面の表示内容を、先程読み出したページに書き換える。その後、ステップＳ２０９に進む。
【０１２２】
たとえば、ステップＳ２０８で「ｍ」＝「ｎ」＝８だった場合、第６（ｍ−２）表示面にはページ１２（ｎ＋４）が、第７（ｍ−１）表示面にページ１１（ｎ＋３）が、第８（ｍ）表示面にはページ１０（ｎ＋２）が、第９（ｍ＋１）表示面にはページ９（ｎ＋１）が、第１０（ｍ＋２）表示面にはページ８（ｎ）が、第１１（ｍ＋３）表示面にはページ７（ｎ−１）が表示されるように書き換えられる。
【０１２３】
ステップＳ２０９ではタイマー１７を作動させ、時間経過の監視を開始する。図１５の処理では前述の所定の時間を５分とする。
【０１２４】
ＣＰＵ１１は、５分が経過するまでは（ステップＳ２１０；Ｎｏ）、電子ペーパ３１がめくられたか否かを監視する（ステップＳ２１１）。電子ペーパ３１がめくられなければ（ステップＳ２１１；Ｎｏ）、ステップＳ２１０に戻って処理を継続する。
【０１２５】
電子ペーパ３１がめくられた場合は（ステップＳ２１１；Ｙｅｓ）、ステップＳ２０５、ステップＳ２０７、ステップＳ２０８のいずれかのステップで表示内容が書き換えられた表示面を除いた、残りの表示面の表示内容を書き換えて（ステップＳ２１３）、処理を終了する。なお、各表示面に書き換える内容は、ステップＳ２０５で書き換えを行っていた場合は、図１２のステップＳ１０５と同様の内容に、ステップＳ２０７で書き換えを行っていた場合は、図１２のステップＳ１０７と同様の内容に、ステップＳ２０８で書き換えを行っていた場合は、図１２のステップＳ１０８と同様の内容に書き換える。
【０１２６】
５分が経過した場合は（ステップＳ２１０；Ｙｅｓ）、ステップＳ２０５、ステップＳ２０７、ステップＳ２０８のいずれかで書き換えた表示内容を書き換え前の表示内容に戻して（再度書き換えて）（ステップＳ２１２）処理を終了する。
【０１２７】
図１５の処理は、処理終了後も、表示装置１０が閉じられるまでは継続して繰り返し行われる。ただし、繰り返しの処理中で上下反転を検出した時に、その繰り返しの処理の直前に終了した処理でステップＳ２１２の処理が行われていた場合は、そのままステップＳ２０２〜ステップＳ２１３の処理を行わずに、処理を終了する。これにより、ステップＳ２１２で発生した、ユーザが閲覧する向きと表示内容の向きのズレが解消される。
【０１２８】
＜態様例３＞
＜上下反転によって表示されているファイルを切り替える＞
態様例３では、ＳＤカードの中に複数のファイルが入っているとする。まず、途中の表示面（第２表示面〜第１９表示面）を開いている時に、表示装置１０を上下反転させる。態様例１、２のような表示内容の書き換えは行わず、その上下反転した見開きのページに、それまで表示していたファイルとは別のファイルにおける第１ページ（最初のページ）を表示させる。
【０１２９】
まず、ＳＤカードがセットされた時点で、そのＳＤカードに保存されている複数のファイルから、図１６に示すようなファイル情報テーブル７０を作成し、不揮発メモリ１４に保存する。図１６のファイル情報テーブル７０には、各ファイルのファイル名と、そのファイルに含まれているページ数が登録される。また、ＣＰＵ１１は登録された各ファイルにファイル番号を割り振る。図１６のファイル情報テーブル７０には、資料１、資料２、資料３の３つのファイルが登録されている。また、資料１にはファイル番号１が、資料２にはファイル番号２が、資料３にはファイル番号３が割り当てられている。
【０１３０】
態様例３について具体例を挙げて説明する。図１７は、図１６のファイル情報テーブル７０を不揮発メモリ１４に保存している表示装置１０を、途中の表示面を開いている状態で上下反転させた場合の様子を示す。図１７（Ａ）は、第１２表示面と第１３表示面を見開きで開いている状態の表示装置１０を示す。図１７（Ａ）では、第１２表示面に資料１（図１６参照）のページ１２が、第１３表示面に資料１のページ１３が表示されている。
【０１３１】
ユーザが、図１７（Ａ）のの表示装置１０を上下反転させると、その見開きの表示面と、上下反転後に右側にある表示面（図１７（Ａ）で上下反転した場合は、第１１表示面、第１０表示面、第９表示面・・・）の表示内容が書き換えられる。書き換えでは、ファイル番号がそれまでに表示されていたファイル（資料１）の次の番号のファイルに書き換えられる。
【０１３２】
図１７（Ａ）では、資料１（ファイル番号１）を表示していたので、表示装置１０を上下反転させると、図１７（Ｂ）に示すように資料２（ファイル番号２、図１６参照）の内容を第１ページ（最初のページ）から表示する。なお、書き換えでは、表示装置１０が上下反転しても、表示内容の向きがユーザから見て同一方向になるように書き換えられる。
【０１３３】
図１７（Ｂ）は、図１７（Ａ）の状態の表示装置１０を上下反転させた後の様子を示す。第１３表示面には資料２のページ１が、第１２表示面には資料２のページ２が表示されている。第１１表示面〜第１表示面には、資料２のページ３〜ページ１３が表示されており、ユーザは電子ペーパ３１をめくって（右側から左側に移動させて）その内容を閲覧することができる。なお、第１４表示面〜第２０表示面の表示内容は書き換えられていない。
【０１３４】
図１８は、態様例３において、上下反転が行われてから、表示内容を書き換えるまでに表示装置１０で行われる処理の流れを示す。
【０１３５】
表示装置１０が開かれている状態の時、ＣＰＵ１１は表示装置１０の上下反転を監視する（ステップＳ３０１）。回転検知部１５により上下反転が検出されるのを待って（ステップＳ３０１；Ｎｏ）、検出されたら（ステップＳ３０１；Ｙｅｓ）、ＣＰＵ１１は、ページ検知部１６を使用して、開かれている表示面の番号（第ｍ表示面）を取得する。また、その取得した表示面番号（第ｍ表示面）を、不揮発メモリ１４に保存されている対応表６０に照らし合わせて、その開かれている表示面（第ｍ表示面）に表示されているページの番号（ページｎ）を取得する（ステップＳ３０２）。
【０１３６】
なお、表示装置１０が見開きの状態で開かれている場合（途中の表示面が開かれている場合）は、見開きの表示面のうち、左側の表示面を第ｍ表示面とする。たとえば、図７（Ａ）においては、第８表示面を第ｍ表示面として取得し、図７（Ｂ）においては第９表示面を第ｍ表示面として取得する。
【０１３７】
ステップＳ３０３では、取得したページｎが書き換え禁止ページか否かを調べる。書き換え禁止ページであれば（ステップＳ３０３；Ｙｅｓ）、ステップＳ３０１に戻って処理を継続する。書き換え禁止ページでなければ（ステップＳ３０３；Ｎｏ）、ステップＳ３０４に進む。なお、見開きの状態で開かれている場合は、ページ（ｎ＋１）が書き換え禁止ページであるか否かも調べ、ページｎとページ（ｎ＋１）のうち少なくともいずれか一方が書き換え禁止ページであれば、ステップＳ３０１に戻って処理を継続する。ページｎとページ（ｎ＋１）の両方が書き換え禁止ページでなければ、ステップＳ３０４に進む。
【０１３８】
第ｍ表示面が最初の表示面であれば（ステップＳ３０４；Ｙｅｓ）ステップＳ３０５に進む。第ｍ表示面が最初の表示面でなければ（ステップＳ３０４；Ｎｏ）ステップＳ３０６に進む。
【０１３９】
ステップＳ３０５では、「ｎ−１」以前のページのデータを表示面の数だけ（ここでは２０ページ分）ＳＤカードから読み出して、各表示面の表示内容を書き換える。その後、処理を終了する。
【０１４０】
ステップＳ３０６では、第ｍ表示面が最後の表示面であるか否かを調べる。第ｍ表示面が最後の表示面であれば（ステップＳ３０６；Ｙｅｓ）、ステップＳ３０７に進む。第ｍ表示面が最後の表示面でなければ（ステップＳ３０６；Ｎｏ）ステップＳ３０８に進む。
【０１４１】
ステップＳ３０７では、「ｎ＋１」以降のページのデータ（内容）を表示面の数だけ（ここでは２０ページ分）ＳＤカードから読み出して、各表示面の表示内容を書き換える。その後、処理を終了する。
【０１４２】
ステップＳ３０８では、ＣＰＵ１１が、現在表示されているファイルのファイル番号（Ｘ）を取得する。現在表示されているファイルのファイル番号とは、最近の書き換えが行われた際（たとえばＳＤカードがセットされた時）に、その書き換えで使用されたページを含むファイルのファイル番号である。ファイル番号（Ｘ）は、ＳＤカードが表示装置１０にセットされた時に予め作成しておいたファイル情報テーブル７０（図１６参照）を参照して取得される。
【０１４３】
ファイル番号（Ｘ＋１）が割り当てられたファイルのページのデータをＳＤカードから読み出して、第ｍ表示面と、開かれている表示装置１０において右側にある表示面の表示内容を書き換える（ステップＳ３０９）。その後、処理を終了する。
【０１４４】
ステップＳ３０８で取得した「Ｘ」が最後のファイル番号を指す場合は、ファイル番号１が割り当てられたファイルのページのデータを読み出す。なお、図１８の処理は、処理終了後も、表示装置１０が閉じられるまでは継続して繰り返し行われる。
【０１４５】
このように、態様例３では、途中の表示面が開いている状態で上下反転された場合に、表示対象のファイルを切り替えるので、別途の切り替え釦などを設けることなく表示対象のファイルを切り替えることができる。
【０１４６】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１４７】
本発明の実施の形態では、取り外しが可能なＳＤカードをセットしていたが、ＨＤＤ（Hard Disk Drive）や、ＳＳＤ（Solid State Drive）等の記憶装置を備え、ＷｉＦｉ等の無線ネットワークを介してデータの送受信を可能にする構成であってもよい。
【０１４８】
本発明の実施の形態では、電子ペーパ３１は両面に表示が可能であったが、片面のみ表示可能であってもよい。
【０１４９】
本発明の実施の形態では、外部の装置を使用してＳＤカードにデータを記憶させる際に、書き換え禁止となるページを設定（指定）していたが、表示装置１０に、表示内容の書き換えを禁止する釦を設けて、その釦がＯＮ状態の際には、上下反転が行われても表示内容の書き換えを行わないような構成にしてもよい。
【０１５０】
本発明の実施の形態では、表示装置１０は、１０枚の電子ペーパ３１を備えていたが、電子ペーパ３１の数はこれに限らない。また、電子ペーパ３１の取り外しや、増設が可能な構成であってもよい。
【０１５１】
本発明の実施の形態では、１つのページにのみ区切り表示を行ったが、区切り表示は複数ページに行ってもよい。
【０１５２】
態様例１〜３は組み合わせてもよい。ただし整合性の取れる範囲内で行う。たとえば、態様例１と態様例３を組み合わせる場合、ＳＤカードに記憶されているファイルが１つであれば態様例１の動作を行い、複数のファイルが記憶されていれば、態様例３の動作を行うようにしてもよい。
【０１５３】
本発明の実施の形態では、表示デバイスとして電子ペーパが採用されていたが、表示デバイスはこれに限らない。液晶表示デバイスや、ＥＬ（electroluminescent device）デバイス等であってもよい。
【０１５４】
上下反転の検出をキーとする書き換えの内容は、実施の形態で示した例に限らない。たとえば、図３（Ａ）の状態で上下反転させた場合に、第２０表示面には、ファイル１のページ２１ではなくページ２０を向きだけ変えて表示させ、その隣の表示面（第１９表示面）にページ２１、その隣の表示面（第１８表示面）にページ２２・・・というように、最後の表示面に表示されていたページを残しつつ、次以降のページが閲覧可能になるように書き換えを行ってもよい。
【０１５５】
本発明の実施の形態、態様例２において、初期書き換えでは、開かれている表示面（見開きの場合は左右の２つの表示面）と、その表示面の前もしくは後ろの２つの表示面（見開きの場合は前後２つずつの４つの表示面）の表示を書き換えていたが、初期書き換えで書き換えを行う表示面はこれに限らない。開かれている表示面のみ書き換えを行ってもよい。また、開かれている表示面とその前後の一部の表示面であれば、書き換えを行う表示面の数は限定しない。
【符号の説明】
【０１５６】
１０…表示装置
１１…ＣＰＵ
１２…ＲＯＭ
１３…ＲＡＭ
１４…不揮発メモリ
１５…回転検知部
１６…ページ検知部
１７…タイマー
１８…電源部
１９…ＳＤカード接続部
３０…表示部
３１…電子ペーパ
６０…対応表
６０Ａ…対応表
６０Ｂ…対応表
７０…ファイル情報テーブル
８０…表表紙
８１…裏表紙
８２…背表紙
【図１】
2014052440.tif 000003
【図２】
2014052440.tif 000004
【図３】
2014052440.tif 000005
【図４】
2014052440.tif 000006
【図５】
2014052440.tif 000007
【図６】
2014052440.tif 000008
【図７】
2014052440.tif 000009
【図８】
2014052440.tif 000010
【図９】
2014052440.tif 000011
【図１０】
2014052440.tif 000012
【図１１】
2014052440.tif 000013
【図１２】
2014052440.tif 000014
【図１３】
2014052440.tif 000015
【図１４】
2014052440.tif 000016
【図１５】
2014052440.tif 000017
【図１６】
2014052440.tif 000018
【図１７】
2014052440.tif 000019
【図１８】
2014052440.tif 000020